(57)【要約】      （修正有）【課題】多層構造を備えるＬＥＤケーシングを備え、かつ内部の蛍光粉体は、生産プロセスの影響を受けても沈みにくいＬＥＤケーシング構造を提供する。【解決手段】２層以上の多層構造のＬＥＤケーシングにおいて、該ケーシングのフィルム層に、均一に分布された蛍光粉体が介設された、一種のＬＥＤ内部の蛍光粉体が生産過程で移動または沈下しにくい手段である。ＬＥＤのケーシングを成形される前に、あらかじめ第１層のフィルム成形を実施し、蛍光粉体４０を該第１層のフィルム３０の平面上に均一に分布させる。次に、もう一層のフィルム２０を敷設した後に、該蛍光粉体を挟み合わせて定型し、均一分布の特性を維持させる。引き続き、該２層のフィルム３０，２０をケーシング構造にプレス成形する。該ケーシングは２層のフィルムによって蛍光粉体を介設する方式で、蛍光粉体の分布位置は成形による浮き上がりやずれをなくしてＬＥＤの光透過率を向上させる。【選択図】図２
0003159565.tif 000002
【実用新案登録請求の範囲】
【請求項１】
ＬＥＤケーシング構造であって、
中空状のカップが設けられ、その内部に収容部が形成され、該カップは少なくとも２層フィルムによって重ね合わせたものであり、かつ前記２層のフィルムの間に均一に分布された蛍光粉体が介設されている、
ＬＥＤケーシング構造。
【請求項２】
該カップの端面は外側に向かって容易に係止するための突出し部が設けられていることを特徴とする請求項１記載のＬＥＤケーシング構造。
【請求項３】
該カップの外部周縁に導光性のエンボシングが設けられていることを特徴とする請求項１記載のＬＥＤケーシング構造。
【請求項４】
該カップはアーチ形のカップであることを特徴とする請求項１記載のＬＥＤケーシング構造。
【請求項５】
該カップは半円形のカップであることを特徴とする請求項１記載のＬＥＤケーシング構造。
【請求項６】
ＬＥＤケーシング構造であって、中空状のカップが設けられ、その内部に収容部が形成され、該カップは少なくとも３層フィルムによって重ね合わせたものであり、かつ前記３層のフィルムの間には、少なくとも均一に分布された２層の蛍光粉体が介設されている、ＬＥＤケーシング構造。
【請求項７】
該均一に分布された２層の蛍光粉体の配合内容は同一であることを特徴とする請求項１記載のＬＥＤケーシング構造。
【請求項８】
該均一に分布された２層の蛍光粉体の配合内容は異なることを特徴とする請求項１記載のＬＥＤケーシング構造。
【請求項９】
ＬＥＤケーシング構造であって、中空状のカップが設けられ、その内部に収容部が形成され、該カップは３層のフィルムによって重ね合わせたものであり、かつ前記３層のフィルムの間には、少なくとも均一に分布された１層の蛍光粉体が介設されている、ＬＥＤケーシング構造。
【考案の詳細な説明】
【技術分野】
【０００１】
本考案は一種の発光ダイオード（Ｌｉｇｈｔ  Ｅｍｉｔｔｉｎｇ  Ｄｉｏｄｅ：以下ＬＥＤという。）ケーシングに関し、特に多層構造を備えるＬＥＤケーシングを備え、かつＬＥＤのシーリング材内部の蛍光粉体は、生産プロセスの影響を受けても沈みにくい技術手段に関する。
【背景技術】
【０００２】
従来技術のＬＥＤの構造は図６、７に示す通り、主にブラケットを備えた台座９０と、互いに一定空間が維持された正負極端子およびその下部に備えるリードを有し、該正負極端子にチップを設け、ボンディングワイヤを打ち込んだ後、エポキシ樹脂を接合方式にてケーシング７０を仕上げる。
そのうち、該従来技術のケーシング７０を製造するときに、蛍光粉体８０を添加し、該蛍光粉体８０はチップより出射された光線によって拡散し、様々な光色が放出される。放出される光の色は蛍光粉体８０の配合によって決まる。
【考案の概要】
【考案が解決しようとする課題】
【０００３】
しかし、ＬＥＤの光色の均一化、光透過率の向上、同じ色系列のＬＥＤの色温を同一にすることはケーシング７０と深く関わっている。その理由は、蛍光粉体８０をケーシング７０内部に均一に分布させなければ、ＬＥＤ性能の向上、かつ品質を均一化することは実現できない。ただし、実務上これとは異なる。従来技術で使用されている蛍光粉体８０はケーシング７０が成形される前に、あらかじめケーシング７０を製造するエポキシ樹脂に取り付ける。蛍光粉体８０を添加されたエポキシ樹脂を台座９０の上方に封止し徐々に固化しケーシング７０を形成するとき、ケーシング７０が固化される過程で、蛍光粉体８０の自重またはケーシング７０を被せるときの動的エネルギーによって、蛍光粉体８０を下方に沈下する現象が発生る。このため、各ＬＥＤのケーシング７０に含まれる蛍光粉体８０が一斉にゆるやかに落ち込み、分布の不均衡現象を引き起こす。または多すぎたり少なかったりの集落状分布となって、ＬＥＤの光透過率を低下させた結果、同じ色系列のＬＥＤの色温の不均衡、色の飽和度が良くない等の欠点は、従来の技術色のシーリング技術のボトルネックである。
【課題を解決するための手段】
【０００４】
本考案の主な目的はＬＥＤのケーシングを成形される前に、あらかじめ第１層のフィルム成形を実施し、蛍光粉体を該第１層のフィルムの平面上に均一に分布させる。次に、もう一層のフィルムを敷設した後に、該蛍光粉体を挟み合わせて定型し、均一分布の特性を維持させる。引き続き、該２層のフィルムをケーシング構造にプレス成形する。該ケーシングは２層のフィルムによって蛍光粉体を介設する方式で、蛍光粉体の分布位置は成形による浮き上がりやずれをなくしてＬＥＤの光透過率を向上し、同じ色系列のＬＥＤの色温を均一させ、色の飽和度を向上でき、斬新なＬＥＤケーシングの考案である。
【０００５】
本考案のもう一つの目的は、ケーシングを成形された後の外部周縁に導光縞を設け、光線を設定された角度に従って拡散させる。
【図面の簡単な説明】
【０００６】
【図１】本考案の外観構造の態様図である。
【図２】本考案の構造の断面視図である。
【図３】本考案の外観変化図である。
【図４】本考案の外縁部に導光角度が追加設置された態様図である。
【図５】本考案もう一種の構造変化の断面視図である。
【図６】従来技術のＬＥＤ構造の外観図である。
【図７】従来技術のＬＥＤ構造の断面視図である。
【考案を実施するための形態】
【０００７】
本考案の内容のさらなる理解を図るため、以下にて図面と合わせて説明する。
【実施例】
【０００８】
図１、２を合わせて参照する。本考案のケーシングはアーチ形のカップ１０を有し、その内部に収容部１０１を形成すると同時に、該カップ１０の端部は容易に係合可能な突出し部１００を外向きに設ける。該カップ１０と突出し部１００は少なくとも２層のフィルム２０、３０によって重ね合わせて構成し、かつ該２層のフィルム２０、３０の間に、均一に分布された蛍光粉体４０が介設されている。
【０００９】
引き続き図４を参照する。本考案はカップ１０の外部周縁の少し下の方に、導光するためのエンボシング２１を繞設し、光線は該導光のエンボシング２１に誘導（反射または屈折）されて、一定の角度にて前方に投射する。通常、この角度は６０度、９０度、１２０度など、またはその他特定角度である。ただし、これは従来技術であり、ここでの説明を省略する。
【００１０】
たとえば、図２に示すアーチ形のカップ１０を必要に応じて、図３に示す半円形または大きい曲率を有するアーチ形のカップ１１に変更することができる。その他形状も本考案の実施変化の一つに含まれる。
【００１１】
図５に示すものは、本考案のケーシングを前記考案精神に基づいたものである。該カップ６０と突出し部６００は３層以上のフィルム５０５、１５２を重ね合わせて、かつ該３層のフィルム５０５、１５２の間に、少なくとも均一に分布された蛍光粉体４１、４２を介設し、色彩の均一化を実現するため、該２層の蛍光粉体４１、４２は同一または異なる配合とする。さらに、この精神に基づいた３層以上のケーシング構造も本考案の特徴に含まれる。ここでの説明と図示を省略する。
【００１２】
本考案によって作られたケーシング構造は、多層の構造体によって蛍光粉体を挟み合わせるため、蛍光粉体は移動されない。これにより、本考案のＬＥＤ生産プロセスを適用された場合、品質をより安定化でき、かつ蛍光粉体の均一度管理が容易であり移動する変動要素がない。従って、ＬＥＤの光透過率も向上され、同じ色系列のＬＥＤの色温は均一であり、色の飽和度も向上されることは、本考案のＬＥＤの長所である。
【００１３】
そのほか、本考案の構造設計によれば、２種類以上の蛍光粉体が配合されていた場合は、光線をより均一に拡散し、今後の用途をより広くできることは、本考案もう一つの長所である。
【００１４】
以上に説明したものは、本考案の好ましい実施例であり、本考案の実施範囲に制限を加わるものではない。よって、当該技術に熟知する者が本考案の精神と範囲を逸脱されない、たとえば、外観変更または層の数を変化するなど、いかなる等効果変化と修飾も本考案の申請範囲に含まれる。
【符号の説明】
【００１５】
１０    カップ
１００  突出し部
１０１  収容部
１１    カップ
２０    フィルム
２１    エンボシング
３０    フィルム
４０    蛍光粉体
４１    蛍光粉体
４２    蛍光粉体
５０    フィルム
５１    フィルム
５２    フィルム
６０    カップ
６００  突出し部
７０    ケーシング
８０    蛍光粉体
９０    台座
【図１】
0003159565.tif 000003
【図２】
0003159565.tif 000004
【図３】
0003159565.tif 000005
【図４】
0003159565.tif 000006
【図５】
0003159565.tif 000007
【図６】
0003159565.tif 000008
【図７】
0003159565.tif 000009
【手続補正書】
【提出日】平成22年3月19日(2010.3.19)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤケーシング構造であって、
中空状のカップが設けられ、その内部に収容部が形成され、該カップは少なくとも２層のフィルムによって重ね合わせたものであり、かつ前記２層のフィルムの間に均一に分布された蛍光粉体が介設されている、
ＬＥＤケーシング構造。
【請求項２】
該カップの端面は外側に向かって容易に係止するための突出し部が設けられていることを特徴とする請求項１記載のＬＥＤケーシング構造。
【請求項３】
該カップの外部周縁に導光性のエンボシングが設けられていることを特徴とする請求項１記載のＬＥＤケーシング構造。
【請求項４】
該カップはアーチ形のカップであることを特徴とする請求項１記載のＬＥＤケーシング構造。
【請求項５】
該カップは半円形のカップであることを特徴とする請求項１記載のＬＥＤケーシング構造。
【請求項６】
ＬＥＤケーシング構造であって、中空状のカップが設けられ、その内部に収容部が形成され、該カップは少なくとも３層のフィルムによって重ね合わせたものであり、かつ前記３層のフィルムの間には、少なくとも均一に分布された２層の蛍光粉体が介設されている、ＬＥＤケーシング構造。
【請求項７】
該均一に分布された２層の蛍光粉体の配合内容は同一であることを特徴とする請求項１記載のＬＥＤケーシング構造。
【請求項８】
該均一に分布された２層の蛍光粉体の配合内容は異なることを特徴とする請求項１記載のＬＥＤケーシング構造。
【請求項９】
ＬＥＤケーシング構造であって、中空状のカップが設けられ、その内部に収容部が形成され、該カップは３層のフィルムによって重ね合わせたものであり、かつ前記３層のフィルムの間には、少なくとも均一に分布された１層の蛍光粉体が介設されている、ＬＥＤケーシング構造。